(57)【要約】【課題】  スラブの曲げ剛性・せん断剛性を必要以上に減少させることなく、スラブ自重の軽量化を行うことができると共に、そのスラブの曲げ剛性・せん断剛性を中空管の方向や配置を気にすることなく安定して確保することができ、また、中空管のサイズを気にすることなく、使用目的に応じて自由にスラブ厚を設定でき、大型スパンのスラブが実現でき、また、埋め込み鉄筋の配筋が容易な中空スラブおよびその施工方法を提供することを課題とする。【解決手段】  鉄筋コンクリートスラブの内部に複数の中空部が設けられてなる中空スラブにおいて、従来、横方向（スラブ面に対して水平方向）に埋設されていた中空管を、鉛直方向に埋設することにより中空部が形成される、複数の垂直中空部を形成した中空スラブとしたものである。【選択図】  図１
2004190475.tif 000002
【特許請求の範囲】
【請求項１】
鉄筋コンクリートスラブの内部に中空部が設けられてなる中空スラブにおいて、鉛直方向に埋設された複数の中空管により中空部が形成されてなる中空スラブ。
【請求項２】
鉄筋コンクリートスラブの内部に中空部が設けられた中空スラブにおいて、中心軸が鉛直方向となるように、複数の中空管が埋め込まれて中空部が形成される中空スラブの施工方法。
【請求項３】
前記の中空管の内部に軽量材が充填されてなることを特徴とする請求項２に記載の中空スラブの施工方法。
【請求項４】
前記の中空管の管径において、スラブの中心部分を周辺部分より大きくすることを特徴とする請求項２または請求項３に記載の中空スラブの施工方法。
【請求項５】
埋設する中空管の管長を変えることにより、スラブ厚を設定することを特徴とする請求項２から請求項４までのいずれかの項に記載の中空スラブの施工方法。
【請求項６】
前記の中空管の配置において、スラブの周辺部分より中心部分が密に配置されていることを特徴とする請求項２から請求項５までのいずれかの項に記載の中空スラブの施工方法。
【請求項７】
鉄筋コンクリートスラブの内部に中空部が設けられてなる中空スラブにおいて、鉛直方向に埋設された複数の中空管と、水平方向に埋設された複数の中空管とが組み合わされて中空部が形成されてなる中空スラブ。
【請求項８】
スラブ内に前記の中空管の配列間にＰＣ鋼線を配置することを特徴とする請求項２から請求項７までのいずれかに記載の中空スラブの施工方法。
【請求項９】
前記の中空スラブの下面を薄肉のプレキャスト版で構成したことを特徴とする請求項２または請求項８に記載の中空スラブの施工方法。
【請求項１０】
既存のスラブ上に、アンカーボルトにより前記の中空スラブを合成施工することを特徴とする請求項２から請求項９までのいずれかの項に記載の中空スラブの施工方法。  
【請求項１１】
鉄筋コンクリート基礎スラブの内部に中空部が設けられた中空スラブにおいて、中心軸が鉛直方向となるように、複数の中空管が埋め込まれて中空部が形成される中空スラブの施工方法。
【請求項１２】
鉄筋コンクリート壁の内部に、中心軸が壁面に対して垂直方向となるように、複数の中空管が埋め込まれて中空部が形成される中空壁の施工方法。
【発明の詳細な説明】
【技術分野】
【０００１】
本発明は、鉄筋コンクリート建造物のスラブ断面に対して中空管を縦方向（鉛直方向）に用いた、現場打ちコンクリートスラブ工法に関する。
【背景技術】
【０００２】
中空スラブ構造は、昭和３７年に早稲田大学の松井博士により、わが国で始めて現場打鉄筋コンクリート構造に実施されて以来、約３０年の歴史と数万件に及ぶ建築実績を持っている工法である。
【０００３】
２方向の中空スラブにおいても始めて実施されてからすでに１５年程度の年月を経ている。
【０００４】
この中空スラブとは、鉄筋コンクリートスラブの中にワインディングパイプと呼ばれる薄い鋼製のスパイラル管を埋め込んで施工される床の総称である。そのパイプの配列方向により１方向中空スラブと２方向中空スラブとに大きく分類される。
【０００５】
一般の鉄筋コンクリートスラブでは、スパンが大きくなり、板厚も大きくなった場合、自重が急激に増加するので、内部に水平パイプを設けて、空洞を作ることにより軽量化を図ったものである。
【０００６】
曲げ材は中立軸付近にあまり断面を必要としないため、スラブの中立軸付近のコンクリートをワインディングパイプ（中空管）により除去し、スラブの曲げ強度をあまり減少させないで軽量化したものである。
【０００７】
このため、スパンが大きく、板厚が大きくなるほど、相対的に自重が小さく、中空断面としての有利性が発揮され、大スパンに適した工法である。
【０００８】
１方向中空スラブは、内部にある中空管の方向が１方向に配列され、荷重が１方向にのみ伝達される中空スラブであり、小梁が連続して並んだようなものであり、例えば、橋梁などに活用される。これに対して、２方向中空スラブは、内部にある中空管の方向が２方向、あるいは多方向に配列され、荷重が２方向以上に伝達可能な中空スラブであり、２辺〜４辺、あるいはそれ以上の辺を壁や梁で支持されるもので、全体として１枚にスラブとして考えられるものである。スパンの大きなホールや教室、事務所などへの採用が主琉を占めているが、近年では、あまり大きくないスパンでも遮音を目的としたマンションなどへの応用が急増している。
【０００９】
例えば、特開２０００−２２６８９９号公報では、スラブの中の中空部を、一定の間隔に互いの直径を違うように区切って、中空部より直径を小さい部分に、副筋を配筋させることでスラブの厚さを薄くし、軽量化させ、強度のあるスラブとするものである。また、中空スラブにおいては、天井面に梁型が突出しないため、梁型のあるＳＲＣ構造やＰＣ構造と比較した場合、同じ大スパンで、同じ階高の建物では、梁下の有効階高が大きく確保でき、内部空間における計画の自由度が大きい。梁型がないので、リフォームの場合など、間取りの変更が自由にできる。
【特許文献１】特開２０００−２２６８９９号公報
【非特許文献１】大越俊男編著  「床組みの計画と設計」理工図書（株）  １９９５年
【発明の開示】
【発明が解決しようとする課題】
【００１０】
このように、中空スラブは多くの利点を有する工法である。しかしながら、これらの従来の中空スラブは、中空管を横方向（スラブ面に対して水平方向）に用いた方法であり、スラブ厚は、中空管の管径の大きさと、上下の鉄筋の被りからスラブ厚が決まるため、スラブ厚を厚くするためには中空管の管径を大きくし、スラブ厚を薄くするためには、中空管の管径を小さくする必要があり、スラブ厚と中空管を自由に設定することができなかった。このため、スラブ面の広さや大荷重には制限があった。
【００１１】
また、横方向の中空スラブの場合には、その曲げ剛性とせん断剛性において、中空管の軸方向と、軸に直角な方向とで耐力に大きな差が出てしまうという問題があった。中空管に平行な曲げ耐力と直交する曲げ耐力の比率は、１：０．７であり、中空管に平行なせん断耐力と直交するせん断耐力の比率は、１：０．３とされている。このため、２方向の中空スラブの設計において、その中空管の配置や方向を十分考慮して設計する必要があり、安定した曲げ剛性あるいはせん断剛性を確保する必要から、自由な設計には制限があることが指摘されている。
【００１２】
また、２方向の中空スラブは広く利用されているが、この内部に埋め込まれる鉄筋は、中空管の周囲に格子状に配置されるが、この鉄筋の配置において、中空管方向がＸ方向とＹ方向の交差部分において、Ｘ方向の主筋（中空管の軸方向に配置される鉄筋：中空管に沿って配筋され、中空管の上端面より低い位置、すなわちサイド側に配筋される）はＹ方向では配力筋（中空管の軸方向に直角に配置される鉄筋：中空管の上面に配置される）となり、Ｘ方向の配力筋はＹ方向では主筋に変わることにより、鉄筋の被りの関係からこの交差部分で主筋の鉄筋の高さと、配力筋の鉄筋の高さにずれが生じるため、この段差を解消するために２段に屈曲させる必要がある。しかもこの作業は現場で行わなければならない。
【００１３】
このとき、鉄筋径が大きいものでは、現場で連続的に２段に屈曲させることは困難であり、段違いとなる鉄筋のいずれかを１段だけ曲げ、他方の直線状の鉄筋と重ね合わせて固縛するなどの方法が施される。この鉄筋の屈曲作業に非常に手間がかかる。しかも中空管の配置方向が複雑になるほどさらに手間がかかるものとなる。
【００１４】
本発明は上記のような問題点に鑑みてなされたものであり、スラブの曲げ剛性・せん断剛性を必要以上に減少させることなく、スラブ自重の軽量化を行うことができると共に、そのスラブの曲げ剛性・せん断剛性を中空管の方向や配置を気にすることなく安定して確保することができ、また、中空管のサイズを気にすることなく、使用目的に応じて自由にスラブ厚を設定でき、大型スパンのスラブが実現でき、また、埋め込み鉄筋の配筋が容易な中空スラブおよびその施工方法を提供することを課題とする。
【課題を解決するための手段】
【００１５】
本発明では、上記の問題を解決するために、鉄筋コンクリートスラブの内部に複数の中空部が設けられてなる中空スラブにおいて、従来、横方向（スラブ面に対して水平方向）に埋設されていた中空管を、鉛直方向に埋設することにより中空部が形成され、複数の垂直中空部が形成された中空スラブを用いたものである。
【００１６】
該中空管は、中空空間を形成できる管状のものであればいずれでもよく、その管軸が鉛直（重力）方向となるようにスラブ内に複数埋め込まれたものであればよく、従来より使用されている、建築用の型枠材であるボイド管などの軽量管材や、中空スラブに使用される鋼製スパイラル管などが使用できる。
【００１７】
また、該中空管の断面形状は、円形が好ましいが、そのほかに四角形や六角形などの多角形状や楕円形などの非真円でも良い。
【００１８】
また、管径は、スラブ厚とは無関係に設定できるため、軽量化や構造計算によって必要とされる空間条件にしたがって自由に管サイズ、管仕様を設定でき、管径の異なる中空管を組み合わせて使用しても良い。
【００１９】
また、本発明では、前記の中空管の内部に軽量材が充填されてなることを特徴とする中空スラブの施工方法である。
【００２０】
該中空管内部に充填される軽量材は、スラブ自重の軽量化に影響しない程度に軽量である軽量材であれば、いずれでもよく、各種の用途に応じて、断熱材や防音材、吸音材、吸湿材、固化材、防水材などが使用できる。
【００２１】
また、本発明では、前記の中空管の管径において、スラブの中心部分を周辺部分
より大きくすることを特徴とする中空スラブの施工方法である。
【００２２】
該中空管の管径は、スラブの中心部分に大口径中空管を配置し、周辺部は小口径の中空管を配置すると良い。複数種類の口径の中空管を組み合わせて使用しても良い。また、スラブ面の形状に合わせて種々の口径の中空管を配置できる。
【００２３】
スラブ構造におけるスラブ自重を軽量化する関係からスラブ面の中心部分では、中空空間を大きくすることが好ましい。本発明の中空スラブは、垂直中空スラブであるため、中空管の管径を自由に設定可能である。
【００２４】
また、本発明では、埋設する中空管の管長を変えることにより、前記のスラブ厚を設定することを特徴とする中空スラブの施工方法である。
【００２５】
周辺部より中心部側に階段状にスラブ厚を変化させたスラブとしても良く、なだらかにスラブ厚を変化させても良い。また、水まわり部分などのように、部分的にスラブ厚を変化させたり、段差を設けたりするなど、鉛直に埋設する中空管の管長を調整することにより、自由に設定できる。
【００２６】
また、本発明では、前記の中空管の配置において、スラブの周辺部分より中心部分が密に配置されていることを特徴とする中空スラブの施工方法である。
【００２７】
該中空管の配置は、中心部分が周辺部分より密となればいずれでも良く、密となる部分は、中空管同士の間に小さな口径の中空管を配置するなど、複数種類の口径の中空管を組み合わせて密となる配置としても良い。
【００２８】
また、本発明では、鉄筋コンクリートスラブの内部に中空部が設けられてなる中空スラブにおいて、鉛直方向に埋設された中空管と、水平方向に埋設された中空管とが組み合わされて中空部が形成されてなる中空スラブ施工方法である。
【００２９】
該水平方向に埋設される中空管は、従来の横方向の中空スラブに使用されている中空管を使用することができる。
【００３０】
また、スラブ厚を大きく確保したい部分のみに垂直中空管を用いても良く、水平中空管の配置しにくい部分に垂直中空管を配置するようにしても良い。
【００３１】
また、本発明では、スラブ内に前記の中空管の配列間にＰＣ鋼線を配置することを特徴とする中空スラブの施工方法である。
【００３２】
該ＰＣ鋼線は、従来のＰＣスラブに使用されるＰＣ鋼線を使用できる。一般に、ＰＣ鋼線はアンボイドタイプを使用する。また、スラブに対して引張応力側に配置するものである。また、１方向のみに配置しても良いし、２方向に配置しても良い。
【００３３】
また、本発明では、前記の中空スラブの下面を薄肉のプレキャスト版で構成したことを特徴とする中空スラブの施工方法である。
【００３４】
該プレキャスト版は、薄肉タイプのプレキャストコンクリート版とすることで、型枠兼用となり、一体化された合成スラブとなる。
【００３５】
また、本発明では、既存のスラブ上に、アンカーボルトにより前記の中空スラブを合成施工することを特徴とする中空スラブの施工方法である。
【００３６】
該アンカーボルトは、樹脂系または金属系のいずれかのアンカーボルトが使用できる。該アンカーは、先端開脚アンカーや接着剤によるカプセルアンカーなどでも良い。既存のスラブにアンカーボルトを固着し、前記の中空スラブを施工することで一体化された合成スラブとなる。既存のスラブをそのまま使用できる。
【００３７】
また、本発明では、鉄筋コンクリート基礎スラブの内部に中空部が設けられた中空スラブにおいて、中心軸が鉛直方向となるように、中空管が埋め込まれて中空部が形成される中空スラブの施工方法である。
【００３８】
該基礎スラブは、スラブ厚を大きく確保したい部分のみに垂直中空管を用いるようにしても良い。
【００３９】
また、本発明では、鉄筋コンクリート壁の内部に、中心軸が壁面に対して垂直方向となるように、複数の中空管が埋め込まれて中空部が形成される中空壁の施工方法。
【００４０】
該中空壁は、壁厚を大きく確保したい部分のみに中空管を用いるようにしても良く、自由に壁厚の調整が可能で設計の自由度が高い。
【発明の効果】
【００４１】
本発明では、以下に示すような効果がある。
１）スラブの曲げ剛性・せん断剛性を必要以上に減少することなく、軽量化ができる。
【００４２】
２）スラブ厚を自由に設定でき、平面的にも断面的にも、広い大空間のスラブを構成できる。
【００４３】
３）スラブ平面において、部分的にスラブ厚を自由に設定できる。
【００４４】
４）中空となる空洞部を使用目的に応じて自由に利用できる。
【００４５】
５）中空管の形状、管径を自由に設定できる。
【００４６】
６）中空管の間隔を自由に配置できる。
【００４７】
７）せん断剛性及び曲げ剛性がスラブ面のどの方向においても同じとなり、安定した剛性を確保でき、自由な設計が可能である。
【００４８】
８）従来工法との併用もできる。
【００４９】
９）埋め込み鉄筋の配置は、従来工法の通りに格子状の配置ができ、特別な現場作業を必要としないので施工しやすい。
【００５０】
１０）基礎スラブや壁面にも使用でき、設計の自由度が高い。
【発明を実施するための最良の形態】
【００５１】
以下に、本発明による実施の形態を図面を用いて説明する。
図１は、本発明による中空スラブの施工例を示す図であり、（１）は、スラブ内の垂直中空管の配列を示す斜視図であり、（２）は、その側部断面を示す図である。
【００５２】
この中空スラブは、管軸が鉛直方向に配置された中空管１（以下、垂直中空管１と称す。）がスラブ内に規則正しく、格子状に配列された垂直中空スラブである。
【００５３】
該垂直中空管１の下部には、従来の横方向中空スラブと同様に、下端筋２が配筋されており、上部には、格子状に主筋３が配置されている。この垂直中空スラブにおいては、配力筋の概念は必要なく、すべて主筋を格子状に配置することで良く、従来の２方向横中空スラブなどのように、中空管の配列方向により、主筋と配力筋との変化を考慮する必要がなく、現場での特別な曲げ作業の必要もない。
【００５４】
また、（２）に示すように、上部主筋２と下部主筋３とはスターラップ４で固定されている。この場合にも、主筋と配力筋のどちらにかけるかを考慮する必要はない。
【００５５】
ここで使用される中空管１は、建築用の型枠材として使用されるボイド管を用いた。該ボイド管は、上下に蓋が設けられたものである。スラブを貫通するように、中空管を配置しても良く、設備配管として、あるいは天井のスポット照明設置用空間や、デザインオブジェのための空間などとして利用することもできる。
【００５６】
図２は、本発明による垂直中空スラブの垂直中空管の配置および配筋の実施例を示す図である。（１）は、垂直中空管１の配置例であり、（２）は鉄筋３の配筋例を示す。
【００５７】
（１）に示すように、垂直中空管１を格子状に整然と配置することで、中空空間を十分に確保し、スラブ自重を軽量化できる。垂直中空管の場合には、水平中空管に比べて、配置を密にすることができるため、軽量化率が高くなる。
【００５８】
なお、この場合の曲げ剛性、せん断剛性は、同じスラブ厚の横方向の中空スラブとほぼ同じであり、軽量化による剛性の減少は少なく、必要な剛性は十分に確保できる。
【００５９】
鉄筋３の配筋については、（２）に示すように、配置された垂直中空管同士の間に格子状に配筋することができ、各々に鉄筋の高さも横方向中空スラブのように、中空管の上部に配置する必要はなく、縦方向の鉄筋と横方向の鉄筋のどちらを上にするかなどの考慮の必要がなく、自由に配筋でき、施工しやすい。
【００６０】
図３は、本発明による垂直中空スラブの垂直中空管の他の配置例であり、特に大型スパンのスラブの実施例を示す図である。（１）は、スラブの中心側の垂直中空管１０の管径を周辺部より大きくした実施例を示すものであり、（２）は、スラブ周辺部の隅部において垂直中空スラブを配置しない実施例を示す図である。
【００６１】
大スパンのスラブにおいては、特にスラブ自重を軽量化することが要求されるが、（１）に示すように、スラブ中心部分の垂直中空管１０の管径を周辺部の垂直中空管１１より大きくすることで大幅な軽量化が実現でき、しかも剛性を十分に確保することが可能となる。
【００６２】
また、（２）に示すように、特に剛性を要求される部分は、中空とせずに、部分的に剛性を確保し、剛性を必要としない部分のみに垂直中空管１２を埋設した構造とすることが可能であり、自由なスラブ計画が可能である。
【００６３】
図４は、スラブ面を階段状に形成した場合の実施例を示す図であり、鑑賞用ホールの観客席や展示用ルームなどの例である。（１）は、垂直中空管２０の埋設構造を示す斜視図であり、（２）は、垂直断面図である。
【００６４】
図に示すように、垂直中空管２０の長さを調整することにより、自由に階段状のスラブを形成することができる。スラブ厚の薄い部分は、管径を小さくするなど、管径の異なる複数の垂直中空管を組み合わせてスラブを形成しても良い。
【００６５】
図５は、従来の水平方向の中空管と、垂直方向の中空管とを組み合わせて構成した中空スラブの施工例を示す図である。
【００６６】
この中空スラブは、スラブの中心部分に水平方向の中空管３０を配置し、スラブの左右部分に垂直方向の中空管３１を配置したものである。（１）は、中空管の配置状態を示す平面図であり、（２）は、垂直断面図である。
【００６７】
横方向に中空管の埋め込んだ部分のスラブにおいて、中空管３０の管軸方向には、高い剛性を有するが、管軸に対して直角方向に対しては、若干、剛性が低くなるが、左右部分が垂直中空スラブとなっているため、十分な剛性を確保できる。また、鉄筋３２の配筋も従来の２方向の水平中空スラブの場合のように、スターラップ３３を主筋と配力筋のどちらにかけるかを考慮したり、また、主筋、配力筋の変化で鉄筋を曲げるなどの特別な現場作業の必要もなくなり、自由なスラブ設計ができ、作業性も良く施工しやすい。
【００６８】
図６は、本発明の垂直中空スラブにＰＣ鋼線を設けた場合のＰＣ鋼線配置状態を示す図であり、（１）は平面図であり、（２）は、垂直断面図である。
【００６９】
この中空スラブは、垂直中空管４１が格子状に配置され、その配列に沿って、スラブの中心部分に短辺方向にＰＣ鋼線４２が複数設置されている。該ＰＣ鋼線４２は、（２）の断面図に示すように、両端部が高く、中心部が低くなるように設置される。
【００７０】
アンボンドタイプのＰＣ鋼線４１を鉄筋の配筋と同時に配置し、コンクリート打設硬化後、専用のジャッキを使ってＰＣ鋼線４１を緊張させることにより、スラブにプレストレスを与える。その結果、放物線状に配置されたアンボンドＰＣ鋼線４１が、上向きの吊上げ力を発揮し、荷重を打消す働きをする。これと同時にコンクリートに圧縮力を与え、二つの働きによって引張力に弱いコンクリートの弱点をカバーするものである。
【００７１】
図７は、垂直中空スラブを用いたコンクリート合成スラブの実施例を示す図であり、（１）はプレキャストコンクリート版５１の上部に垂直中空スラブ５２を施工した実施例を示す垂直断面図であり、（２）は、既存のコンクリートスラブ５３上にアンカーボルト５４で垂直中空スラブ５５を一体化した合成スラブの実施例を示す垂直断面図である。
【００７２】
（１）では、プレキャストコンクリート版５１を型枠としてその上部に垂直中空スラブ５２を打設するものであり、小梁のない空間とすることができ、天井を高くでき、スラブ厚を薄くできる。また、各種のプレキャスト版を使用することができ、設計の自由度も高まる。（２）では、既存のスラブ５３の上面にアンカーボルト５４を打ち込み、このアンカーボルト５４にスターラップ５６を固定して打設し、垂直中空スラブ５５と既存のスラブ５３を一体化施工でき、また、スラブ上面の設計を自由にでき、補強と軽量化を実現できる。
【００７３】
図８は、垂直中空管を壁面に使用した実施例を示す図であり、（１）は、中空管の配置を示す正面図であり、（２）は部分垂直断面図である。
【００７４】
この実施例では、壁面６１に格子状に垂直中空管６２を配置し、壁面全体の軽量化を実現するものである。壁面６１に対して垂直となる中空管６２と主筋６３及びスターラップ６４が設けられている。博物館やイベントホールなど特殊な壁面を形成する場合など、部分的な軽量化において自由に中空壁を形成でき、また、中空管部を利用して収納スペースなどとすることもできる。
【産業上の利用可能性】
【００７５】
垂直中空管による中空スラブは、その中空空間を利用して、建築物の様々な部分に適用でき、軽量化とともに、その空間の有効活用による収納壁や収納床、収納天井などとして適用できる。また、中空空間に様々な気体、液体、固体などを密閉充填し、浮力を調整できる浮きドックや、空間内の液体などを移動させてバランスをとるバランス装置などにも適用できる。
【図面の簡単な説明】
【００７６】
【図１】本発明による垂直中空スラブの実施例を示す構造概略図である。
【図２】本発明による垂直中空スラブの垂直中空管の配置例を示す図である。
【図３】本発明による垂直中空スラブの他の垂直中空管の配置例を示す図である。
【図４】本発明による垂直中空スラブの段差スラブの実施例を示す図である。
【図５】本発明による垂直中空スラブと横方向中空スラブとの併用例を示す図である。
【図６】本発明による垂直中空スラブへのＰＣ鋼線の使用例を示す図である。
【図７】本発明による垂直中空スラブを用いたコンクリート合成スラブの実施例を示す図である。
【図８】本発明による垂直中空管を用いた中空壁の実施例を示す図である。
【符号の説明】
【００７７】
１、１２、３１、４１、６２  垂直中空管
２  下部鉄筋
３、３２  上部鉄筋
４、３３、５６、６４  スターラップ
１０  垂直中空管（大口径）
１１  垂直中空管（小口径）
２０  垂直中空管（管長調整）
３０  水平方向中空管
４２  ＰＣ鋼線
５１  プレキャスト版
５３  既存スラブ
６１  壁面（中空壁）
６３  主筋
【図１】
2004190475.tif 000003
【図２】
2004190475.tif 000004
【図３】
2004190475.tif 000005
【図４】
2004190475.tif 000006
【図５】
2004190475.tif 000007
【図６】
2004190475.tif 000008
【図７】
2004190475.tif 000009
【図８】
2004190475.tif 000010